(57)【要約】      （修正有）【課題】誰でも容易に装着可能でまた所望の帯柄に容易に変更可能で、簡単な構造で取扱い性に優れ、安価で経済性に優れ且つ実用的な和服用帯を提供する。【解決手段】両端部に帯締め紐が設けられ任意の帯幅に折り曲げ可能な横方向を長手方向とする矩形状の胴部１１０と、両端部の帯締め紐同士を結ぶことにより環状に形成される胴部１１０に対して着脱自在に取り付けられるお太鼓部１２０と、お太鼓部１２０に着脱自在に取り付けられる矩形状の手先部１３０とから成る和服用帯１００であって、胴部１１０、お太鼓部１２０及び手先部１３０の少なくとも表面部には、任意の布１５０を着脱自在に装着可能としたことを特徴とする。【選択図】図１
0003216697.tif 000002
【実用新案登録請求の範囲】
【請求項１】
両端部に装着用紐が設けられ任意の帯幅に折り曲げ可能な横方向を長手方向とする矩形状の胴部と、
上記両端部の装着用紐同士を結ぶことにより環状に形成される上記胴部に対して着脱自在に装着されるお太鼓部と、
このお太鼓部に着脱自在に装着される矩形状の手先部とから成る和服用帯であって、
上記胴部、上記お太鼓部及び上記手先部の少なくとも表面部には、任意の布または柔軟性を有する平面上の素材を着脱自在に装着可能としたことを特徴とする和服用帯。
【請求項２】
上記胴部、上記お太鼓部及び上記手先部は、天然芯地素材より成ることを特徴とする請求項１記載の和服用帯。
【請求項３】
上記手先部は両端部が露呈するよう取付け部を介して上記お太鼓部に着脱自在に装着され、
上記お太鼓部は装着部を介して上記胴部に着脱自在に装着されるよう構成したことを特徴とする請求項１または請求項２記載の和服用帯。
【考案の詳細な説明】
【技術分野】
【０００１】
本考案は、和服用帯、特に容易に装着が可能で所望の帯柄に変更可能とした和服用帯に関する。
【背景技術】
【０００２】
従来、和服の帯着付けは複雑であり、慣れない者にとっては一人での着付けは難しく専門家の補助を必要とするケースが多々あった。加えて、着崩れの直しも容易でないものであった。このため、その複雑さを解消するために種々の工夫がなされてきた。
他方、和服をよく着用する者にとっては、種々の着こなしを楽しみたいとの思いはあるものの、そのためには、和服や和服用帯を自ら多数保有するか、或いは例えばレンタルによるサービスを受ける必要があった。
【０００３】
下記特許文献１には、身体に巻く部位をベルト式帯とし、帯結び部位を帯結びコンポーネントとして完全に分離し、且つ身体に装着する前にベルト式帯と帯結びコンポーネントを組み上げた状態で、帯着付けを始めることができるようにしたベルト式和装帯システムが開示されている。このベルト式和装帯システムを利用することにより、帯着付けの熟練や補助を必要とせずに極めて容易に帯を着付けられるようにしたものである。
【０００４】
下記特許文献２には、和服に装着する一重または多重帯において、身体に巻き付ける胴部と、この胴部に掛けるお太鼓部とを接合して一体化すると共に、お太鼓部を固定する枕に舌片を付設し、一重帯にあってはその舌片をお太鼓部の内面に接合、或いは一重帯または多重帯にあってはその舌片が挿入される穴部をお太鼓部の内面に位置する胴部に設けた特徴とする和服用帯が開示されている。この和服用帯によれば、胴部とお太鼓部とが一体化し、枕がそれに付設された舌片を介してお太鼓部に接合されるので、短時間で容易に装着でき、美麗に着こなせることができるものである。
【０００５】
下記特許文献３には、表裏とも略中心で異模様に２分された太鼓面部とその両端に形成された異模様のタレ部とから成る太鼓部用帯と、表裏異模様の胴巻部用帯とで一つの帯を構成するセパレート帯が開示されている。このものにあっては、袋帯結びのみならず、本格的な結び方である本結び（抜かずの結び方）をも容易に行なうことができ、しかも、一つの垂れ部に対し４通りの太鼓面、さらに夫々について表裏異模様の胴巻部用帯を組み合わせることにより８通り、従って左右表裏相異なる四つの垂れ部に対し、合計３２通りの模様違いまたは結び方違いのバリエーションの提供を可能としているものである。
【０００６】
下記特許文献４には、通常、和服用の帯は二巻きして着用するところ、一巻き目の帯布は二巻き目の帯布に隠れ見えなくなることに着目し、両面で４通り（片面で２通り）の帯柄を表現できるように、四つの異なる帯布を使用して仕立て、またお太鼓を形成する垂れ部分は、お太鼓を形成したときに表に現れる太鼓面と垂れ先の模様の方向を揃えるように、且つ、両面で４通り（片面で２通り）の帯柄を表現できるように、四つの異なる帯布を使用して仕立てた付け帯が開示されている。これにより、４通りの帯柄を楽しむことができると共に、表に出る部位の帯柄を統一させることによって和服や小物とのコーディネイトを容易にし、着用も容易にすることを実現している。
【先行技術文献】
【特許文献】
【０００７】
【特許文献１】特開２００８−６９５０１号公報
【特許文献２】特開２００９−１２７１４５号公報
【特許文献３】特許第２８３２１６７号公報
【特許文献４】特許第５２２４５６３号公報
【考案の開示】
【考案が解決しようとする課題】
【０００８】
特許文献１に開示されたベルト式和装帯システムは、着物の着付けの中でも最も熟練を要する帯着付けの簡素化を図ったものではあるが、帯着付けが極めて簡単なカジュアルな帯姿の実現に着目したものである。従って、古くから踏襲されている帯姿とは異なるものである。
また、このベルト式和装帯システムにあっては、種々の帯柄を楽しむためには、従来同様に多数保有する必要がある。
【０００９】
特許文献２に開示されたものは、短時間で容易に和服用帯として装着できるのだが、胴部のうちお太鼓部に隠れる位置に相当する背中部位には、胴部を伸縮させるゴム等の弾性体を設けて胴部の安定装着を図っており、構造的にやや複雑になっているものである。
また、この和服用帯にあっても、種々の帯柄を楽しむためには、従来同様に多数保有する必要がある。
【００１０】
特許文献３に開示されたものは、垂れ部と太鼓面部との組み合わせ、さらに胴巻部との組み合わせにより、多様な模様及び結び方のバリエーションの提供を可能としたセパレート帯ではあるが、最大限３２通りの模様違いまたは結び方の違いのバリエーションの提供のみである。しかも、所望の模様違いや結び方の装着に際しては、熟練を要するものである。
【００１１】
特許文献４に開示されたものは、最大限４通りの帯柄しか楽しむことができないつけ帯である。しかも、装着に際しては、熟練を要するものである。
【００１２】
本考案は、上記事情を考慮してなされたもので、誰でも容易に装着可能で、且つ所望の帯柄に容易に変更可能な和服用帯を提供することを目的とする。
また、本考案は、簡単な構造で取扱い性に優れる和服用帯を提供することを目的とする。
さらに、本考案は、安価で経済性に優れ且つ実用的な和服用帯を提供することを目的とする。
【課題を解決するための手段】
【００１３】
本考案は、上記目的を達成するために以下の通りの構成とすることを特徴とする。
【００１４】
（１）  両端部に装着用紐が設けられ任意の帯幅に折り曲げ可能な横方向を長手方向とする矩形状の胴部と、上記両端部の装着用紐同士を結ぶことにより環状に形成される上記胴部に対して着脱自在に装着されるお太鼓部と、このお太鼓部に着脱自在に装着される矩形状の手先部とから成る和服用帯であって、上記胴部、上記お太鼓部及び上記手先部の少なくとも表面部には、任意の布または柔軟性を有する平面上の素材を着脱自在に装着可能としたことを特徴とする。
【００１５】
（２）  上記（１）の構成にあって、上記胴部、上記お太鼓部及び上記手先部は、天然芯地素材より成ることを特徴とする。
【００１６】
（３）  上記（１）または（２）の構成にあって、上記手先部は両端部が露呈するよう取付け部を介して上記お太鼓部に着脱自在に装着され、上記お太鼓部は装着部を介して上記胴部に着脱自在に装着されるよう構成したことを特徴とする。
【００１７】
上記構成によれば、誰でも容易且つ迅速に和服用帯を装着でき、しかも所望の帯柄に容易に変更することができるので、種々の和服用帯のバリエーションを提供できるものである。
また、上記構成によれば、簡単な構造で容易に実現でき、取扱い性に優れるので、実用的且つ経済的なものである。
【００１８】
さらに、上記構成によれば、天然芯地素材の特性により適度なハリ感を醸し出せるので見栄えは勿論、型崩れの虞もなく安心して和服用帯を装着できるものである。
さらに、上記構成によれば、装着しないときは夫々を折り畳むことが可能で、携帯性や収納性に優れるものである。
【考案の効果】
【００１９】
本考案によれば、誰でも容易に装着可能で、且つ所望の帯柄にも容易に変更が可能となり、便利で有用な和服用帯を提供できるものである。
また、本考案は、簡単な構造で取扱い性に優れ、実用的且つ経済的な効果を奏するものである。
【図面の簡単な説明】
【００２０】
【図１】本考案の一実施形態に係わる和服用帯の全体の概略構成を模式的に示す図である。
【図２】同実施形態に係わり、和服用帯を構成する胴部、お太鼓部及び手先部の概略構成を表面側から示す平面図である。
【図３】同実施形態に係わり、和服用帯を構成する胴部、お太鼓部及び手先部に布を装着した状態での概略構成を裏面側から示す平面図である。
【図４】同実施形態に係わり、和服用帯を装着する作業の流れを示す図である。
【図５】同実施形態に係わり、お太鼓部に手先部を取付けた状態を模式的に示す図である。
【図６】同実施形態に係わり、手先部が装着されたお太鼓部に帯枕及び帯揚げを取付ける様子を模式的に示す図である。
【図７】同実施形態に係わり、手先部が装着されたお太鼓部に帯枕及び帯揚げを取付けた状態を模式的に図である。
【考案を実施するための形態】
【００２１】
以下、本考案の一実施形態につき、図を参照して説明する。
【００２２】
本実施形態に係わる和服用帯１００は、胴部１１０、お太鼓部１２０及び手先部１３０とから構成される。胴部１１０、お太鼓部１２０及び手先部１３０は、夫々は独立したパーツであり、着脱自在に組み合わせ装着させられることにより、和服用帯１００と成るものである。
【００２３】
胴部１１０は、組み合わせられる前の分解状態では横方向を長手方向とする矩形状を呈し、任意の帯幅に折り曲げ可能である。胴部１１０の両端部１１０ａ，１１０ｂには、装着用紐１１２，１１４が夫々２本ずつ設けられている。
ここで、一方の装着用紐１１２は、胴部１１０を身体の胴に巻いたときに胴回りの大きさを調節できるよう例えばＳサイズ、Ｍサイズ及びＬサイズの範囲内でその長さを調節機構部（不図示）により調節可能となるよう構成してある。なお、調節機構部としては、Ｓサイズ、Ｍサイズ及びＬサイズの相当する所定の部位に設けられたループに装着用紐１１２を通すことで調整可能としている。この他に調整機構部としては、例えば装着用紐１１２の一端部を胴部１１０の表面部１１０ｃに対して面ファスナーにて着脱自在に取り付け固定できる構成にすることで、装着用紐１１２の長さを調節可能としてもよいし、これらに限らず他の構成にしても良いことは勿論である。
【００２４】
また、胴部１１０の表面部１１０ｃ側には、任意の色や柄・模様の布１４０が着脱自在に装着される。ここで、布１４０は、その表面側の表面積は、胴部１１０の表面部１１０ｃの表面積より大となるよう構成されている。そして、布１４０の胴部１１０への装着は、例えば面ファスナー（不図示）を介して行われる。即ち、布１４０の裏面側に設けられたフック状に起毛された側の面ファスナーを、胴部１１０の裏面部１１０ｄに設けられたループ状に密集して起毛された側の面ファスナーに着脱自在に圧着することにより装着されるものである。
【００２５】
なお、本実施形態では、少なくとも表面部１１０ｃに任意の布１４０を着脱自在となるよう構成してあるが、裏面部１１０ｄも含めた両面に対して任意の布１４０を着脱自在となるように構成してもよい。
また、布１４０の胴部１１０への装着は面ファスナーに限らず、安全ピンで留めるようにしてもよいし、布１４０を胴部１１０に縫い付けるようにしても良いことは勿論である。
さらに、布１４０は、所望する色や柄・模様の例えば手拭いや風呂敷であってもよいものである。
【００２６】
お太鼓部１２０は、組み合わせられる前の分解状態では横方向を長手方向とする矩形状を呈し、組み合わせ時には環状に形成された胴部１１０に着脱自在に取付け装着されるものである。即ち、お太鼓部１２０は、組み合わせ時に両端部１１０ａ，１１０ｂの装着用紐１１２，１１４を結ぶことにより環状に形成される胴部１１０に対し、二つ折りにされた折返し部位が上部側に、両端部１２０ｃ，１２０ｄが下部側に位置して装着部、例えば帯揚げ１５０を介して着脱自在に装着されるものである。
さらに、お太鼓部１２０は、組み合わせ完成時には内側に手先部１３０が位置するよう、その一端部１２０ｃ及び他端部１２０ｄが内側に折り返されるものである（図１、図５及び図６の二点鎖線部分を参照）。本実施形態では、折り返される一端部１２０ｃの長さは８ｃｍ程度であり、後述する帯枕１９０が位置する部位までの長さは３０ｃｍ程度としているが、これに限ることはなく適宜変更は可能である。
【００２７】
また、お太鼓部１２０の表面部１２０ａ側には、任意の色や柄・模様の布１６０が着脱自在に装着される。ここで、布１６０は、その表面側の表面積は、お太鼓部１２０の表面部１２０ａの表面積より大となるよう構成されている。そして、布１６０のお太鼓部１２０への装着は、例えば面ファスナー（不図示）を介して行われる。即ち、布１６０の裏面側に設けられたフック状に起毛された側の面ファスナーを、お太鼓部１２０の裏面部１２０ｂに設けられたループ状に密集して起毛された側の面ファスナーに着脱自在に圧着することにより装着されるものである。
【００２８】
なお、本実施形態では、少なくとも表面部１２０ａに任意の布１６０を着脱自在となるよう構成してあるが、裏面部１２０ｂも含めた両面に対して任意の布１６０を着脱自在となるように構成してもよい。
また、布１６０のお太鼓部１２０への装着は面ファスナーに限らず、安全ピンで留めるようにしてもよいし、布１６０をお太鼓部１２０に縫い付けるようにしても良いことは勿論である。
さらに、布１６０は、所望する色や柄・模様の例えば手拭いや風呂敷であってもよいものである。
【００２９】
手先部１３０は、組み合わせられる前の分解状態では横方向を長手方向とする矩形状を呈しており、組み合わせ時には二つ折りにされたお太鼓部１２０の内側を挿通するよう取付け部、例えば取付け用安全ピン１７０を介して着脱自在に装着されるものである。ここで、取付け用安全ピン１７０は、お太鼓部１２０の一端部１２０ｃ及び他端部１２０ｄに対して留められるものである。
【００３０】
また、手先部１３０の表面部１３０ａ側には、任意の色や柄・模様の布１８０が着脱自在に装着される。ここで、布１８０は、その表面側の表面積は、手先部１３０の表面部１３０ａの表面積より大となるよう構成されている。そして、布１８０の手先部１３０への装着は、例えば面ファスナー（不図示）を介して行われる。即ち、布１８０の裏面側に設けられたフック状に起毛された側の面ファスナーを、手先部１３０の裏面部１３０ｂに設けられたループ状に密集して起毛された側の面ファスナーに着脱自在に圧着することにより装着されるものである。
【００３１】
なお、本実施形態では、少なくとも表面部１３０ａに任意の布１８０を着脱自在となるよう構成してあるが、裏面部１３０ａも含めた両面に対して任意の布１８０を着脱自在となるように構成してもよい。
また、布１８０の手先部１３０への装着は面ファスナーに限らず、安全ピンで留めるようにしてもよいし、布１８０を手先部１３０に縫い付けるようにしても良いことは勿論である。
さらに、布１８０は、所望する色や柄・模様の例えば手拭いや風呂敷であってもよいものである。
【００３２】
さて、胴部１１０、お太鼓部１２０及び手先部１３０には、ハリのある芯地を用いている。例えば、天然素材の綿や麻を用いることにより、適度なハリ感を醸し出せることが可能となり、見栄えがよくなり、また型崩れの虞も解消できものである。
【００３３】
なお、本実施形態に於ける和服用帯１００にあっては、必要に応じて帯枕１９０及び帯締め２００を着脱自在に装着するように構成してもよい。
【００３４】
上記構成につき、その作用を以下に述べる。
【００３５】
所望する和服用帯１００を完成させるには、先ず、所望の色や柄・模様の布１４０，１６０，１８０を用意する。
【００３６】
次に、用意した布１４０，１６０，１８０を夫々、胴部１１０の表面部１１０ｃ側全体、お太鼓部１２０の表面部１２０ａ側全体及び手先部１３０の表面部１３０ａ側全体を覆うようにして、夫々の裏面部１１０ｄ，１２０ｂ，１３０ｂにて面ファスナーを介して装着する（図３及び図４のステップＳ４０２参照）。ここで、胴部１１０を必要に応じて所望の帯幅に折り曲げる。また、胴回りのサイズに合うよう装着用紐１１２を調節しておく（ステップＳ４０４）。
【００３７】
続いて、胴部１１０を身体の胴部分に巻き、装着用紐１１２，１１４を夫々腹部側にて結ぶと、胴部１１０は胴部分に環状に巻き付けられた状態になる。そして、装着用紐１１２,１１４が身体の背中側に位置するよう胴部１１０を胴部分に対して摺動させる（ステップＳ４０６）。
【００３８】
この後、お太鼓部１２０の表面部１２０ａの所望の位置に手先部１３０を装着する（ステップＳ４０８）。このとき、手先部１３０の両端部は、お太鼓部１２０から外方へ露呈するようにする。ここで、手先部１３０は、後述するステップＳ４１０の後に、お太鼓部１２０の一端部１２０ｃ及び他端部１２０ｄに対して取付け用安全ピン１７０で夫々一箇所ずつ留めることにより装着することになる（図７参照）。なお、取付け部としては、これに限らず両面ファスナーを利用して装着するようにしてもよいものである。また、手先部１３０は、お太鼓部１２０の一端部１２０ｃが内側に折り返されるで、内側に位置することになる。
【００３９】
手先部１３０が装着されたお太鼓部１２０には、帯枕１９０が装着される（ステップＳ４１０）。即ち、お太鼓部１２０の裏面部１２０ｂの上部側に帯枕１９０を位置させ、帯枕１９０を覆うよう帯揚げ１５０を載置させる（図６参照）。而して、お太鼓部１２０を表面部１２０ａが表となるよう二つ折りにし、一端部１２０ｃが折り返された状態にするとともに、裏面部１２０ｂと手先部１３０が離間するような状態で一端部１２０ｃ及び他端部１２０ｄに対して取付け用安全ピン１７０にて留める。すると、所謂お太鼓が完成することになる（図７参照）。
【００４０】
次に、胴部１１０の身体の背中側に位置する部位、即ち装着用紐１１２,１１４にて結ばれている部位の上部側に載置台として、例えばハンドタオル（不図示）または手拭い（不図示）を押込み、胴部１１０と身体で挟持固定されるようにする。この挟持固定されたハンドタオルまたは手拭いに対して、帯揚げ１５０及び帯枕紐（不図示）を持って帯枕１９０を載置するようにして、帯枕紐を身体の腹部側で結び胴部１１０の内側に押込む。同様に、帯揚げ１５０を身体の腹部側で結び胴部１１０の内側に押込む。
【００４１】
而してお太鼓部１２０と手先部１３０の間に帯締め２００を挿通させて帯締め２００を身体の腹部側の胴部１１０上で結ぶと、和服用帯の装着が完成する（ステップＳ４１２）。
【００４２】
斯様にして装着した和服用帯を身体から取り外すのには、上述した装着手順と逆の動作をすればよいものである。
【００４３】
取り外して分解状態になった胴部１１０、お太鼓部１２０及び手先部１３０の色や柄・模様を他のものに変えたい場合、所望する他の色や柄・模様の布を用意して装着すればよいものである。
【００４４】
上記実施形態によれば、誰でも容易且つ迅速に和服用帯１００を装着でき、しかも所望の色や柄・模様の帯に容易に変更することができるので、種々の和服用帯のバリエーションを楽しめるものである。
また、上記実施形態によれば、簡単な構造で容易に実現でき、取扱い性に優れるので、実用的且つ経済的なものである。
【００４５】
さらに、上記実施形態によれば、天然芯地素材の特性により適度なハリ感を醸し出せるので見栄えは勿論、型崩れの虞もなく安心して和服用帯を装着できるものである。
さらに、上記実施形態によれば、和服用帯は未使用時には分解状態にすれば平面状を呈し折り畳みも可能となるので、従来の和服用帯に比べて収納スペースをとることもなく保管に難儀することもなくなり、便利なものである。
【００４６】
なお、上記実施形態では帯枕１９０及び帯揚げ１５０を用いているが、帯揚げ１５０は必須のものではなく、着付けシーンに応じて用いればよいものである。また、帯枕１９０については、所謂お太鼓結びの際には必須となるが、それ以外にあっては着付けシーンに応じて用いればよいものである。
【００４７】
また、帯締め２００についても、適宜着付けシーンに応じて用いればよいものである。
【００４８】
さらに、上記実施形態では所望の色や柄・模様の布１４０,１６０,１８０を用いているが、平面で柔軟性のある素材でれあば、例えばアルミや和紙等を用いても良いことは勿論である。
【００４９】
本考案は上記実施形態に限定されることなく、その趣旨を逸脱しない限り種々の変形が可能なことは勿論である。
【符号の説明】
【００５０】
１００                  …和服用帯
１１０                  …胴部
１１０ｃ                …表面部
１１０ｄ                …裏面部
１１２，１１４          …装着用紐
１２０                  …お太鼓部
１２０ａ                …表面部
１２０ｂ                …裏面部
１３０                  …手先部
１３０ａ                …表面部
１３０ｂ                …裏面部
１４０，１６０，１８０  …布
１５０                  …帯揚げ（装着部）
１７０                  …取付け用安全ピン（取付け部）
１９０                  …帯枕
２００                  …帯締め
【図１】
0003216697.tif 000003
【図２】
0003216697.tif 000004
【図３】
0003216697.tif 000005
【図４】
0003216697.tif 000006
【図５】
0003216697.tif 000007
【図６】
0003216697.tif 000008
【図７】
0003216697.tif 000009